(57)【要約】【課題】凝縮水の排水に起因する騒音が抑制された空調装置を提供する。【解決手段】ドレン機構２０は、ドレン接続部２４を有する。ドレン接続部２４は、接続管２５と、プロテクタ２６とを有する。接続管２５は、部分通路２９を提供している。部分通路２９は、部分通路２９の中心軸ＡＸと垂直な通路断面２９ａを提供している。接続管２５は、部分通路２９の中に突出する障壁板３１を有する。障壁板３１は、部分通路２９の上部から突出している。障壁板３１は、通路断面２９ａの中に、第１開口２７ａと、第２開口２７ｂとを提供している。障壁板３１は、凝縮水ＷＴに対して障壁板として機能する。障壁板３１は、部分通路２９における凝縮水ＷＴの流れを整える。【選択図】図５
2019156301.tif 000002
【特許請求の範囲】
【請求項１】
空気を冷却する冷却用熱交換器（１４）と、
前記冷却用熱交換器の下に配置され凝縮水（ＷＴ）を受けるドレンパン、前記ドレンパンの一部に設けられ前記凝縮水が集められるドレンコレクタ、および前記ドレンコレクタに連通しており前記ドレンコレクタから延び出す部分通路（２９）を提供する接続管（２５）を含む空調ユニット（１３）とを備え、
前記接続管は、前記部分通路内に向けて突出しており前記凝縮水に対して障壁となる障壁板（３１、６３１、７３１、８３１）を備える空調装置。
【請求項２】
前記障壁板は、前記部分通路の上部にだけ配置されている請求項１に記載の空調装置。
【請求項３】
前記障壁板は、水平面に対して傾斜している請求項１または請求項２に記載の空調装置。
【請求項４】
前記障壁板は、前記部分通路の中心軸（ＡＸ)に対して交差する通路断面（２９ａ）に配置されている請求項１から請求項３のいずれかに記載の空調装置。
【請求項５】
前記障壁板は、前記接続管を提供する樹脂部材によって一体的に成形されている請求項１から請求項４のいずれかに記載の空調装置。
【請求項６】
前記障壁板は、前記部分通路の通路断面（２９ａ）において、下部に位置する第１開口（２７ａ）と、前記第１開口より上に位置する第２開口（２７ｂ）とを区画しており、
前記第２開口が提供する通路面積は前記第１開口が提供する通路面積より小さい（Ａ２＜Ａ１）請求項１から請求項４のいずれかに記載の空調装置。
【請求項７】
前記第１開口と、前記第２開口とは、一連の開口として連続している請求項６に記載の空調装置。
【請求項８】
前記ドレンコレクタは、底面としての第１内面（２３ａ）と、水平面に対して傾斜しており、前記底面より上に位置している第２内面（２３ｂ）とを有し、
前記部分通路は、水平面に対して傾斜した傾斜通路であり、しかも、前記第１内面と前記第２内面との両方にわたって開口しており、
前記障壁板は、前記第２内面から延び出している請求項１から請求項７のいずれかに記載の空調装置。
【請求項９】
前記障壁板は、前記部分通路の内面に沿って部分円弧状に延びている請求項１から請求項８のいずれかに記載の空調装置。
【請求項１０】
前記障壁板は、前記部分通路の入口に配置されている請求項１から請求項９のいずれかに記載の空調装置。
【発明の詳細な説明】
【技術分野】
【０００１】
この明細書における開示は、凝縮水を含む流体を排出するための通路を有する空調装置に関する。
【背景技術】
【０００２】
特許文献１は、ドレンパンを有する空調装置を開示する。この技術は、凝縮水を含むドレン流体に起因する騒音を抑制する。
【先行技術文献】
【特許文献】
【０００３】
【特許文献１】特開２０１１−１０５１７８号公報
【発明の概要】
【発明が解決しようとする課題】
【０００４】
従来技術の構成では、ドレンポートにおける凝縮水の流入方向が制限される。これでは、流れ下がろうとする液体の塊が気泡を巻き込む場合、気体が液膜を破るときに騒音を生じる。さらに、細い管の中では、液膜が厚くなり、騒音が大きくなることがある。上述の観点において、または言及されていない他の観点において、空調装置にはさらなる改良が求められている。
【０００５】
開示されるひとつの目的は、凝縮水の排水に起因する騒音が抑制された空調装置を提供することである。
【０００６】
開示される他のひとつの目的は、比較的簡単な構成によって、凝縮水の排水に起因する騒音が抑制された空調装置を提供することである。
【課題を解決するための手段】
【０００７】
ここに開示された空調装置は、空気を冷却する冷却用熱交換器（１４）と、冷却用熱交換器の下に配置され凝縮水（ＷＴ）を受けるドレンパン、ドレンパンの一部に設けられ凝縮水が集められるドレンコレクタ、およびドレンコレクタに連通しておりドレンコレクタから延び出す部分通路（２９）を提供する接続管（２５）を含む空調ユニット（１３）とを備え、接続管は、部分通路内に向けて突出しており凝縮水に対して障壁となる障壁板（３１、６３１、７３１、８３１）を備える。
【０００８】
開示される空調装置によると、冷却用熱交換器が空気を冷却する。空気が冷却されることによって、凝縮水が発生する。凝縮水は、重力によって下へ流れる。空調ユニットは、凝縮水を排出するためのドレンパン、ドレンコレクタ、および接続管を有する。凝縮水は、ドレンパンによって受けられ、ドレンコレクタに集められる。接続管が提供する部分通路は、ドレンコレクタに連通している。さらに、接続管は、部分通路の内部に向けて突出する障壁板を有する。障壁板は、部分通路を流れる凝縮水に対して障壁として機能する。このとき、障壁板は、凝縮水の流れを整える。このため、凝縮水の排水に起因する騒音が抑制される。
【０００９】
この明細書における開示された複数の態様は、それぞれの目的を達成するために、互いに異なる技術的手段を採用する。請求の範囲およびこの項に記載した括弧内の符号は、後述する実施形態の部分との対応関係を例示的に示すものであって、技術的範囲を限定することを意図するものではない。この明細書に開示される目的、特徴、および効果は、後続の詳細な説明、および添付の図面を参照することによってより明確になる。
【図面の簡単な説明】
【００１０】
【図１】第１実施形態の空調装置を示す正面図である。
【図２】空調装置を示す斜視図である。
【図３】空調装置の底部を示す部分拡大正面図である。
【図４】空調装置の内部底面を示す平面図である。
【図５】ドレン接続部を示す断面図である。
【図６】ドレン接続部を示す平面図である。
【図７】ドレン接続部が提供する通路を示す斜視図である。
【図８】流れ方向における通路形状を示す平面図である。
【図９】第２実施形態の通路を示す斜視図である。
【図１０】第３実施形態の通路を示す斜視図である。
【図１１】第４実施形態の通路形状を示す平面図である。
【図１２】第５実施形態の通路形状を示す平面図である。
【図１３】第６実施形態の通路形状を示す平面図である。
【図１４】第７実施形態のドレン接続部を示す断面図である。
【図１５】第８実施形態のドレン接続部を示す断面図である。
【発明を実施するための形態】
【００１１】
図面を参照しながら、複数の実施形態を説明する。複数の実施形態において、機能的におよび／または構造的に対応する部分および／または関連付けられる部分には同一の参照符号、または百以上の位が異なる参照符号が付される場合がある。対応する部分および／または関連付けられる部分については、他の実施形態の説明を参照することができる。
【００１２】
第１実施形態
図１および図２において、空調装置１０は、車両に搭載されている。空調装置１０は、例えば、車両の前席の前方に搭載されている。空調装置１０は、車両の後部、天井部など多様な位置に搭載することができる。図中には、車両における上方向ＵＰ、下方向ＤＷ、左方向ＬＴ、右方向ＲＴ、前方向ＦＲ、および後方向ＲＲが図示されている。上方向ＵＰおよび下方向ＤＷが、重力方向を示す。空調装置１０は、多様な用途に利用可能である。ひとつの用途は、車両を含む乗り物用空調装置である。ここで、乗り物の語は、広義に解釈されるべきであり、車両、船舶、航空機などの移動体、および、アミューズメント機器、およびシミュレーション機器などの固定物を含む。他の用途は、住宅、事業所などの定置施設用空調装置である。
【００１３】
空調装置１０は、内外気ユニット１１、送風ユニット１２、および空調ユニット１３を有する。内外気ユニット１１、送風ユニット１２、および空調ユニット１３は、それぞれ、樹脂製のケースを有する。これらケースは、空調するための空気が流れる通路を形成する。これらケースは、ひとつまたは複数の熱交換器、およびひとつまたは複数の流れ制御ドアのような機能部品を収容している。
【００１４】
例えば、空調ユニット１３は、空気を冷却するための冷却用熱交換器１４と、空気を加熱する加熱用熱交換器１５とを有する。冷却用熱交換器１４は、蒸気圧縮式冷凍サイクルの蒸発器によって提供されている。冷却用熱交換器１４は、吸着式冷凍サイクル、磁気熱効果型冷凍サイクル、熱電効果型冷凍サイクルなど、多様な冷凍サイクルによって提供されてもよい。加熱用熱交換器１５は、車両の廃熱を放熱する放熱器によって提供されている。加熱用熱交換器１５は、蒸気圧縮式冷凍サイクルの凝縮器によって提供されてもよい。加熱用熱交換器１５は、ジュール熱型放熱器、吸着式冷凍サイクル、磁気熱効果型冷凍サイクル、熱電効果型冷凍サイクルなど、多様なヒートポンプサイクルによって提供されてもよい。
【００１５】
代表的な空気ＡＲの流れは、内外気ユニット１１から入り、送風ユニット１２を通り、さらに空調ユニット１３を通過する。空気ＡＲは、空調ユニット１３において、冷却用熱交換器１４および／または加熱用熱交換器１５を通過して、温度調節される。温度調節された空気ＡＲは、ひとつまたは複数の吹出口１６から吹き出される。これにより、空調が提供される。
【００１６】
図１において、空調装置１０は、少なくとも冷却用熱交換器１４を有している。冷却用熱交換器１４は、空気ＡＲを冷却するときに、凝縮水ＷＴを生成する。凝縮水ＷＴの多くは、冷却用熱交換器１４と、その周辺に付着する。凝縮水ＷＴは、冷却用熱交換器１４の表面、および空調ユニット１３のケース内を流れ、ドレン機構２０を経由して、外部環境へ排出される。このとき、ドレン機構２０は、凝縮水ＷＴとともに、少量の空気ＡＲを排出する。以下の説明において、ドレン機構２０を流れる流体には、凝縮水ＷＴ、および／または空気ＡＲが含まれる。ドレン機構２０は、ドレンホース２１を有する。ドレンホース２１は、例えば、ゴムホースによって提供されている。この実施形態では、ドレン機構２０は、車両の外部へ凝縮水ＷＴを排出する。
【００１７】
図３は、空調ユニット１３の底部に配置されたドレン機構２０を示す。ドレン機構２０は、空調ユニット１３の下部に配置されている。ドレン機構２０は、冷却用熱交換器１４の下に配置されている。ドレン機構２０は、ドレンパン２２と、ドレンコレクタ２３と、ドレン接続部２４とを有する。ドレンパン２２は、空調ユニット１３の樹脂製ケースの一部によって提供されている。ドレンパン２２は、冷却用熱交換器１４の下に広がっている。ドレンパン２２は、冷却用熱交換器１４から流れ落ちる凝縮水ＷＴを受ける。ドレンパン２２は、凝縮水ＷＴを集めるように、やや傾斜している。ドレンコレクタ２３は、空調ユニット１３の樹脂製ケースの一部によって提供されている。ドレンコレクタ２３は、ドレンパン２２によって受けられた凝縮水ＷＴを集める。ドレンコレクタ２３は、ドレンパン２２における窪んだピットである。ドレンコレクタ２３は、凝縮水ＷＴをドレン接続部２４に向けて集中させる。
【００１８】
ドレン接続部２４は、ドレンホース２１を接続するための接続管２５を有する。ドレン接続部２４は、ドレン通路の一部を提供する。ドレン接続部２４は、筒状の管を有する。ドレン接続部２４は、空調ユニット１３の樹脂製ケースの一部によって提供されている。ドレン接続部２４の管は、樹脂製ケースの外面に突出している。ドレン接続部２４が提供するドレン通路の一端は、ドレンコレクタ２３の内部に開口している。ドレン接続部２４が提供するドレン通路の他端は、開放されている。ドレン接続部２４に、ドレンホース２１が接続されている状態では、ドレン接続部２４が提供するドレン通路の他端は、ドレンホース２１に連通している。
【００１９】
図４は、図３の矢印ＩＶ方向における平面図である。ドレン機構２０は、冷却用熱交換器１４の周辺に配置されている。ドレンパン２２は、樹脂ケースの底面に広がっている。ドレンパン２２は、冷却用熱交換器１４から落ちる凝縮水ＷＴを受けるために、冷却用熱交換器１４の下に広がっている。さらに、ドレンパン２２は、冷却用熱交換器１４から飛散する凝縮水ＷＴを捕捉するために、冷却用熱交換器１４の周辺に広がっている。ドレンパン２２の端部には、ドレンコレクタ２３としてのピットが形成されている。凝縮水ＷＴは、破線で示される矢印のように、ドレンパン２２に沿って流れ、ドレンコレクタ２３に集められる。
【００２０】
図５は、図４のＶ−Ｖ線における断面を示す。ドレン機構２０は、ピット状のドレンコレクタ２３を有する。ドレンコレクタ２３は、第１内面２３ａと、第２内面２３ｂとを少なくとも有している。第１内面２３ａは、底面であり、水平に広がる水平面とも呼ばれる。第１内面２３ａは、ドレン機構２０における最終点である。第２内面２３ｂは、底面に対して傾斜している。第２内面２３ｂは、水平面に対して傾斜して広がる傾斜面とも呼ばれる。第２内面２３ｂは、第１内面２３ａの周囲を区画する側壁面でもある。第２内面２３ｂは、第１内面２３ａより上に位置している。第１内面２３ａと第２内面２３ｂとは、境界線２３ｃにおいて接触している。この結果、第１内面２３ａと第２内面２３ｂとは、ドレンコレクタ２３の中に角部を提供する。
【００２１】
ドレン接続部２４は、接続管２５と、プロテクタ２６とを有する。接続管２５は、空調ユニット１３から突出している。接続管２５は、ドレンホース２１と接続されるニップル管でもある。接続管２５は、円筒状である。接続管２５は、ドレンホース２１との接続作業を補助するために、先端にコーン部分を有している。プロテクタ２６は、接続管２５と同心状に配置されている。プロテクタ２６は、部分円筒である。ドレンホース２１と接続管２５とが接続された状態において、ドレンホース２１は、接続管２５とプロテクタ２６との間に受け入れられる。プロテクタ２６は、ドレンホース２１と接続管２５と接続する作業を補助する。反対に、プロテクタ２６は、ドレンホース２１を接続管２５から取り外す作業を困難にする。
【００２２】
接続管２５は、水平面に対して傾斜した傾斜管であり、傾斜通路を提供する。接続管２５は、一端の入口開口２７と、他端の出口開口２８とを区画している。入口開口２７は、出口開口２８より上にある。出口開口２８は、入口開口２７より下にある。入口開口２７は、上端開口を提供する。出口開口２８は、下端開口を提供する。入口開口２７は、ドレンコレクタ２３の内面に開口している。入口開口２７は、境界線２３ｃの両側に開口している。入口開口２７は、第１内面２３ａと、第２内面２３ｂとの両方にわたって開口している。出口開口２８は、円形の開口である。出口開口２８は、ドレンホース２１に連通している。
【００２３】
接続管２５は、入口開口２７と出口開口２８との間に部分通路２９を区画形成している。部分通路２９は、ドレンコレクタ２３から延び出している。部分通路２９は、中心軸ＡＸを有する。部分通路２９は、ドレン通路の一部である。部分通路２９は、ドレンホース２１とともにドレン通路を提供している。部分通路２９は、横通路または斜行通路である。横通路および斜行通路は、ともに通路の径方向に水と空気との分離を生じる。
【００２４】
図６は、図５の矢印ＶＩ方向におけるドレン接続部２４の平面図である。ドレンホース２１は、図示されていない。プロテクタ２６は、接続管２５の外周に沿って、周方向へ１／３周にわたって配置されている。プロテクタ２６が延びる範囲は、１／３周に限られない。
【００２５】
図５および図６において、接続管２５は、円筒状の基本形態を有している。接続管２５は、障壁板３１と、リブ３２とを有する。障壁板３１とリブ３２とは、接続管２５の内面、すなわち部分通路２９の形状を特徴づけている。障壁板３１は、部分通路２９の中心軸ＡＸに対して交差する通路断面２９ａに配置されている。具体的には、通路断面２９ａは、中心軸ＡＸに対して垂直な通路断面２９ａである。障壁板３１とリブ３２とは、接続管２５が区画する内面のうち、重力方向に関して上部にのみ配置されている。
【００２６】
障壁板３１は、部分通路２９内に向けて突出している。障壁板３１は、接続管２５の内面、すなわち部分通路２９の中に位置付けられている。障壁板３１は、空調ユニット１３のケースと樹脂材料によって一体的に成形されている。すなわち、障壁板３１は、接続管２５を提供する樹脂材料によって一体的に成形されている。障壁板３１は、接続管２５の内面から、径方向内側に向けて突出する径方向リブでもある。障壁板３１は、接続管２５の中心軸ＡＸに到達しない低いリブでもある。障壁板３１は、部分通路２９の中央部分に半円状の開口を区画する。障壁板３１の径方向における高さは、数ミリである。
【００２７】
障壁板３１は、接続管２５の周方向における円弧範囲にのみ位置している。障壁板３１は、部分通路２９の入口に配置されている。障壁板３１は、入口開口２７に接している。障壁板３１は、入口開口２７に沿って広がっている。障壁板３１は、入口開口２７の上部に位置付けられている。障壁板３１は、入口開口２７のうち、所定角度にわたって広がっている。所定角度は、約１８０度である。所定角度は、９０度より大きく、１８０度より小さい。障壁板３１は、部分通路２９の内面に沿って部分円弧状に延びている。障壁板３１は、部分環状とも呼びうる形状を有する。
【００２８】
障壁板３１は、入口開口２７の縁から所定の厚さを有する。障壁板３１の厚さは、数ミリである。障壁板３１の厚さは、障壁板３１の裏側空洞から、ドレンコレクタ２３内に向けて気泡がすぐに到達できる厚さである。
【００２９】
障壁板３１の径方向における高さは、大量の凝縮水ＷＴがドレンコレクタ２３に流れ込んだ場合に、ドレンコレクタ２３から部分通路２９への凝縮水ＷＴの流入を一時的に妨げる高さである。障壁板３１は、凝縮水ＷＴを一時的にドレンコレクタ２３に留める。別の観点では、大量の凝縮水ＷＴが部分通路２９を流れる場合に、障壁板３１は、障壁板３１の裏側、すなわち部分通路２９の上部に空気ＡＲのための空洞を形成する。障壁板３１は、凝縮水ＷＴに対して障壁となる。障壁板３１は、部分通路２９における凝縮水ＷＴの流れを整える。
【００３０】
障壁板３１は、部分通路の上部にだけ配置されている。障壁板３１は、部分通路２９の下部にはない。障壁板３１が下部にあると、凝縮水ＷＴに含まれるゴミが堆積することがある。部分通路２９の上に配置された障壁板３１は、ゴミの堆積を抑制する。
【００３１】
リブ３２は、接続管２５の内面、すなわち部分通路２９の中に位置付けられている。リブ３２は、空調ユニット１３の樹脂ケースと一体成型されている。リブ３２は、接続管２５の内面から、径方向内側に向けて突出している。しかも、リブ３２は、接続管２５の中心軸ＡＸに到達しない低いリブである。リブ３２は、接続管２５の周方向における一部にのみ位置している。
【００３２】
リブ３２は、接続管２５の中心軸ＡＸに沿って延びている。リブ３２は、入口開口２７と出口開口２８との間にわたって連続して延びている。リブ３２は、障壁板３１の背後に位置している。リブ３２は、障壁板３１の背後に連続している。リブ３２は、接続管２５を補強する。リブ３２は、障壁板３１を補強する。
【００３３】
図７は、ドレン接続部２４が区画する部分通路２９の形状を示す斜視図である。部分通路２９は、ドレンコレクタ２３の凹部に入口開口２７を通して開口している。入口開口２７は、第１内面２３ａと第２内面２３ｂとにわたって開口している。入口開口２７は、第１内面２３ａと第２内面２３ｂとの両方にわたって広がる連続した一連の開口を提供している。障壁板３１は、第２内面２３ｂから延び出している。よって、障壁板３１は、水平面に対して傾斜している。
【００３４】
入口開口２７は、第１内面２３ａと、部分通路２９との交差によって規定される形状を有する。第１内面２３ａと、部分通路２９との交差は、細長い半円状の縁を提供している。第１内面２３ａと、部分通路２９との交差は、ドレンコレクタ２３の底面において、大きく開口する。よって、第１内面２３ａと、部分通路２９との交差は、上から下へ、なめらかに凝縮水ＷＴを受け入れるために貢献する。
【００３５】
入口開口２７は、第２内面２３ｂと、部分通路２９との交差によって規定される基礎形状を、障壁板３１によって縮小制限した形状を有する。基礎形状は、半円である。第２開口２７ｂは、障壁板３１によって、基礎形状より狭く絞られている。障壁板３１は、第２内面２３ｂと平行である。障壁板３１は、水平面に対して傾斜した傾斜板によって提供されている。これにより、障壁板３１による凝縮水ＷＴの跳ね上がりが抑制される。第２開口２７ｂは、半円より小さい。しかも、第２開口２７ｂは、基礎形状の上部において絞られている。第２開口２７ｂは、Ω（オメガ）型の開口である。
【００３６】
障壁板３１は、部分通路２９の中心軸ＡＸに垂直な通路断面２９ａにおいて、第１開口２７ａと、第２開口２７ｂとを区画している。第１開口２７ａおよび第２開口２７ｂは、部分通路２９の中心軸ＡＸに垂直な通路断面２９ａに形成されている。第１開口２７ａは、通路断面２９ａにおける主要な開口を提供する。第１開口２７ａは、通路断面２９ａにおける下部に位置する。第２開口２７ｂは、通路断面２９ａにおける上部に位置する。第２開口２７ｂは、第１開口２７ａより上に位置する。第１開口２７ａと第２開口２７ｂとは、一連の開口として連続している。
【００３７】
第２開口２７ｂは、上部だけに部分環状の障壁板３１を有している。障壁板３１は、円筒内面状の部分通路２９に対して、約１８０度の内フランジ状に突出している。障壁板３１は、円筒内面状の部分通路２９に対して、庇状である。障壁板３１によって制限された第２開口２７ｂは、浮力をもつ空気ＡＲを下から上へ流し出し易い。しかも、障壁板３１の背面、すなわち部分通路２９の中の領域は、浮力をもつ空気ＡＲを、第２開口２７ｂの近くにまで導き易い。第２開口２７ｂは、下から上へ、なめらかに空気ＡＲを導くために貢献する。
【００３８】
図８は、図７の矢印ＶＩＩＩにおける平面図である。第１開口２７ａは、第２開口２７ｂより下に位置する下部開口でもある。第２開口２７ｂは、第１開口２７ａより上に位置する上部開口でもある。第２開口２７ｂは、第１開口２７ａから上へ突出している。しかも、障壁板３１は、第２開口２７ｂを左右方向に関して絞っている。第２開口２７ｂは、入口開口２７のうち、最も上に位置する部分を提供している。
【００３９】
通路断面２９ａにおいて、第１開口２７ａは、通路面積Ａ１を提供する。通路断面２９ａにおいて、第２開口２７ｂは、通路面積Ａ２を提供する。通路面積Ａ２は、通路面積Ａ１より小さい（Ａ２＜Ａ１）。通路面積Ａ１の範囲は、障壁板３１が規定する水平線より下である。通路面積Ａ１の範囲は、点描によって示された範囲である。通路面積Ａ２の範囲は、水平線より上である。通路面積Ａ１の範囲は、点描がない範囲である。
【００４０】
この実施形態によると、凝縮水ＷＴと空気ＡＲとが同時に流れることに起因する騒音が抑制される。具体的には、凝縮水ＷＴが壁面に衝突する騒音、および／または凝縮水ＷＴの液膜の破裂音が抑制される。
【００４１】
ドレンパン２２からドレンコレクタ２３へ大量の凝縮水ＷＴが流れる場合を考える。例えば、車両の傾斜、カーブ走行などに起因して、ドレンパン２２の一部に凝縮水ＷＴが溜まる場合がある。この場合、車両の傾斜が解消された場合、またはカーブ走行が終了した場合に、大量の凝縮水ＷＴがドレンコレクタ２３に流れ込む。障壁板３１は、部分通路２９のドレン経路としての断面積を部分的に狭くする。この結果、凝縮水ＷＴが一時的にドレンコレクタ２３に留まる。このとき、凝縮水ＷＴは部分通路２９の入口開口２７を覆う。この結果、部分通路２９には、凝縮水ＷＴだけが連続して流れ込む。よって、凝縮水ＷＴは、部分通路２９およびドレンホース２１の中を空気と混合されることなく流れ下ることができる。
【００４２】
さらに、大量の凝縮水ＷＴが部分通路２９に流入しても、障壁板３１によって、部分通路２９の上部には、空気ＡＲのための空間が残される。凝縮水ＷＴは、自らの重さによって、ドレンコレクタ２３から部分通路２９へ流れ下がろうとする。障壁板３１は、凝縮水ＷＴに対する障壁となる。この結果、凝縮水ＷＴは、障壁板３１を迂回して、部分通路２９の下部へ流れる。障壁板３１は、障壁板３１の背後への凝縮水ＷＴの到達を抑制する。同時に、部分通路２９の中にある空気ＡＲは、浮力によって部分通路２９の上部に向かう。よって、凝縮水ＷＴは、部分通路２９およびドレンホース２１の中を空気と混合されることなく流れ下ることができる。
【００４３】
第２実施形態
この実施形態は、先行する実施形態を基礎的形態とする変形例である。上記実施形態では、入口開口２７は、第１内面２３ａと第２内面２３ｂとの両方にわたって開口している。これに代えて、入口開口２７は、第１内面２３ａだけ、または第２内面２３ｂだけに開口していてもよい。
【００４４】
図９において、入口開口２７は、第１内面２３ａのみに開口している。このため、入口開口２７の縁は、細長い円形である。障壁板３１は、通路断面２９ａの上部にのみ配置されている。この実施形態でも、障壁板３１は、入口開口２７に接している。障壁板３１は、部分通路２９の中に、第１開口２２７ａと、第２開口２２７ｂとを区画している。この実施形態でも、第１開口２２７ａおよび第２開口２２７ｂは、部分通路２９の中心軸ＡＸに垂直な通路断面２９ａに形成されている。この実施形態でも、上述の実施形態と同様の作用効果を得ることができる。
【００４５】
第３実施形態
この実施形態は、先行する実施形態を基礎的形態とする変形例である。図１０において、入口開口２７は、第２内面２３ｂのみに開口している。このため、入口開口２７の縁は、円形である。障壁板３１は、通路断面２９ａの上部にのみ配置されている。障壁板３１は、部分通路２９の中に、第１開口３２７ａと、第２開口３２７ｂとを区画している。この実施形態でも、第１開口３２７ａおよび第２開口３２７ｂは、部分通路２９の中心軸ＡＸに垂直な通路断面２９ａに形成されている。この実施形態でも、上述の実施形態と同様の作用効果を得ることができる。
【００４６】
第４実施形態
この実施形態は、先行する実施形態を基礎的形態とする変形例である。上記実施形態では、接続管２５は、リブ３２を有する。これに代えて、接続管２５は、リブ３２を備えることなく、障壁板３１だけを備えていてもよい。
【００４７】
図１１において、部分通路２９は、障壁板３１を有する。部分通路２９は、リブ３２を備えない。部分通路２９は、円形の断面を有している。障壁板３１は、第１開口２７ａと、第２開口４２７ｂとを区画している。第２開口４２７ｂは、縦方向に延びるスリット状である。第２開口４２７ｂは、下端において第１開口２７ａに連通している。第２開口４２７ｂは、上端において部分通路２９の縁にまで到達している。
【００４８】
障壁板３１は、第２開口４２７ｂの左右に位置する右半部４３１ａと、左半部４３１ｂとを有する。右半部４３１ａおよび左半部４３１ｂは、それらの間に第２開口４２７ｂを区画している。この実施形態でも、上述の実施形態と同様の作用効果を得ることができる。
【００４９】
第５実施形態
この実施形態は、先行する実施形態を基礎的形態とする変形例である。上記実施形態では、第１開口２７ａと、第２開口２７ｂ、２２７ｂ、３２７ｂ、４２７ｂとは、連通している。これに代えて、第２開口は、第１開口から独立した開口によって提供されていてもよい。
【００５０】
図１２において、障壁板３１は、第２開口５２７ｂを区画している。第２開口５２７ｂは、障壁板３１を貫通する貫通穴によって提供されている。第２開口５２７ｂは、第１開口２７ａから独立している。この実施形態でも、上述の実施形態と同様の作用効果を得ることができる。
【００５１】
第６実施形態
この実施形態は、先行する実施形態を基礎的形態とする変形例である。上記実施形態では、障壁板３１は、第２開口２７ｂ、２２７ｂ、３２７ｂ、４２７ｂ、５２７ｂを区画している。これに代えて、障壁板は、第２開口を区画しない形状でもよい。
【００５２】
図１３において、障壁板６３１は、第１開口２７ａを区画している。障壁板６３１は、第１開口を区画しない。障壁板６３１は、弦と弧とで囲まれた扇状の板によって提供されている。この実施形態でも、障壁板６３１は、凝縮水ＷＴに対する障壁板として機能する。この実施形態でも、上述の実施形態と同様の作用効果を得ることができる。
【００５３】
第７実施形態
この実施形態は、先行する実施形態を基礎的形態とする変形例である。上記実施形態では、障壁板３１、６３１は、部分通路２９の最上部に配置されている。これに代えて、障壁板は、部分通路２９の多様な位置に設けることができる。
【００５４】
図１４において、障壁板７３１は、部分通路２９の中間部に設けられている。この実施形態でも、障壁板７３１は、凝縮水ＷＴに対する障壁板として機能する。この実施形態でも、上述の実施形態と同様の作用効果を得ることができる。
【００５５】
第８実施形態
この実施形態は、先行する実施形態を基礎的形態とする変形例である。図１５において、障壁板８３１は、部分通路２９の下端部に設けられている。この実施形態でも、障壁板８３１は、凝縮水ＷＴに対する障壁板として機能する。障壁板８３１は、部分通路２９とドレンホース２１内の円筒空洞との境界部分において障壁を提供する。よって、障壁板８３１は、部分通路２９からドレンホース２１への凝縮水ＷＴの流れを整える。この実施形態でも、上述の実施形態と同様の作用効果を得ることができる。
【００５６】
他の実施形態
この明細書および図面等における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、請求の範囲の記載によって示され、さらに請求の範囲の記載と均等の意味及び範囲内での全ての変更を含むものと解されるべきである。
【００５７】
上記実施形態では、障壁板３１、６３１、７３１、８３１は、部分通路２９の中心軸ＡＸに垂直な通路断面２９ａに広がっている。これに代えて、障壁板は、通路断面２９ａに対して所定の角度をなして傾斜していてもよい。例えば、障壁板は、凝縮水ＷＴの流れに沿うように傾斜することができる。
【００５８】
また、上記実施形態では、部分通路２９は、傾斜通路によって提供されている。これに代えて、部分通路２９は、水平方向に延びる水平通路でもよい。この場合も、部分通路２９の中に、上部と下部を規定することができる。また、部分通路２９は、垂直方向に延びる垂直通路でもよい。
【符号の説明】
【００５９】
１０  空調装置、１１  内外気ユニット、１２  送風ユニット、
１３  空調ユニット、１４  冷却用熱交換器、
１５  加熱用熱交換器、１６  吹出口、２０  ドレン機構、
２１  ドレンホース、２２  ドレンパン、２３  ドレンコレクタ、
２３ａ  第１内面、２３ｂ  第２内面、２３ｃ  境界線、
２４  ドレン接続部、２５  接続管、２６  プロテクタ、
２７  入口開口、２７ａ  第１開口、２７ｂ  第２開口、
２８  出口開口、２９  部分通路、２９ａ  通路断面、
３１  障壁板、３２  リブ、２２７ａ  第１開口、
２２７ｂ  第２開口、３２７ａ  第１開口、３２７ｂ  第２開口、
４２７ｂ  第２開口、５２７ｂ  第２開口、６３１  障壁板、
７３１  障壁板、８３１  障壁板、ＡＲ  空気、ＷＴ  凝縮水、
ＡＸ  中心軸、ＵＰ  上方向、ＤＷ  下方向、ＦＲ  前方向、
ＲＲ  後方向、ＲＴ  右方向、ＬＴ  左方向。
【図１】
2019156301.tif 000003
【図２】
2019156301.tif 000004
【図３】
2019156301.tif 000005
【図４】
2019156301.tif 000006
【図５】
2019156301.tif 000007
【図６】
2019156301.tif 000008
【図７】
2019156301.tif 000009
【図８】
2019156301.tif 000010
【図９】
2019156301.tif 000011
【図１０】
2019156301.tif 000012
【図１１】
2019156301.tif 000013
【図１２】
2019156301.tif 000014
【図１３】
2019156301.tif 000015
【図１４】
2019156301.tif 000016
【図１５】
2019156301.tif 000017